(57)【要約】【課題】個々の被介護者の寝床から取得したデータを使用して、被介護者の寝床環境の良し悪しや被介護者の状態を客観的に外部から把握して、個々の被介護者に応じた快適な介護環境の提供を、被介護者に全く負担をかけずに支援するための寝床環境モニタリングシステムを提供すること。【解決手段】本発明のモニタリングシステムは、温度検出手段、寝床湿度検出手段、圧力検出手段、心拍検出手段、呼吸数検出手段および血圧検出手段から成る群から選択される少なくとも１種の検出手段（２〜５）と、検出手段（２〜５）からデータを取得してこれを管理する管理部８とから成り、検出手段（２〜５）が寝床１に配設されており、検出手段（２〜５）からのデータを用いて管理部８で作成された評価用データを用いて、被介護者の寝床環境を外部から客観的に把握できることを特徴とする。【選択図】図１
2009157479.tif 000002
【特許請求の範囲】
【請求項１】
被介護者の寝床環境を外部から客観的に把握するためのモニタリングシステムであって、
温度検出手段、湿度検出手段、圧力検出手段、心拍検出手段、呼吸数検出手段および血圧検出手段から成る群から選択される少なくとも１種の検出手段と、前記検出手段からデータを取得してこれを管理する管理部とから成り、
前記検出手段が、被介護者の寝床に配設されており、
前記管理部が、前記検出手段から取得したデータに基づいて評価用データを作成する評価用データ作成手段と、この評価用データを外部に提供するためのデータ提供手段とを備えており、この評価用データを用いて、被介護者の寝床環境を把握できることを特徴とする、被介護者の寝床環境モニタリングシステム。
【請求項２】
前記寝床が設置されている室内に配設される、室内温度検出手段、室内湿度検出手段、臭気検出手段、騒音検出手段、照度検出手段、気流検出手段および粉塵検出手段から成る群から選択される少なくとも１種の検出手段をさらに備え、
前記管理部が、前記寝床に配設される前記検出手段と、前記室内に配設される前記検出手段とからデータを取得して、これを管理可能に構成されており、
前記評価用データ作成手段が、前記寝床に配設された前記検出手段から取得したデータと前記室内に配設された前記検出手段から取得したデータとに基づいて、前記評価用データを作成可能に構成されていることを特徴とする請求項１に記載の被介護者の寝床環境モニタリングシステム。
【請求項３】
前記寝床が、ＪＩＳ−Ｋ６４００−３に基づく反発弾性率が２０〜９５％の天然ゴム製のマットから成ることを特徴とする請求項１または請求項２に記載の被介護者の寝床環境モニタリングシステム。
【請求項４】
前記評価用データ作成手段が、前記検出手段からのデータを蓄積する検出値蓄積手段と、前記検出手段からのデータに関する基準値を蓄積する基準値蓄積手段と、前記検出値蓄積手段および前記基準値蓄積手段の少なくともいずれかから所望のデータを取得して前記評価用データを作成する集計処理手段と、から成ることを特徴とする請求項１〜３のいずれか１項に記載の被介護者の寝床環境モニタリングシステム。
【請求項５】
前記評価用データ作成手段がアプリケーションサービスプロバイダにて実行されるものであり、このアプリケーションサービスプロバイダに、顧客端末が通信ネットワークを介して接続されていることを特徴とする請求項１〜４のいずれか１項に記載の被介護者の寝床環境モニタリングシステム。  
【発明の詳細な説明】
【技術分野】
【０００１】
本発明は、個々の被介護者に応じた適切な介護環境の提供を支援するための、被介護者に全く負担をかけない被介護者寝床環境モニタリングシステムに関するものである。
【背景技術】
【０００２】
今日、在宅介護を要する人口が数十万人に上り、今後、さらなる増加が予想されるところ、被介護者に負担をかけずに被介護者が過ごす環境を合理的に管理し、被介護者および介護者共快適な介護形態を実現することに対する社会的要請はいっそう増すであろう。
【特許文献１】特開平４−７１５３２号公報
【特許文献２】特開２０００−１３９８５５号公報
【０００３】
ところで、人の状態を外部から把握・管理するためのシステムとして、医療行為の一環として、病院や老人施設等における病人や被介護者の生体情報を、被験者の身体に直に計測装置を取り付ける等して取得して、得られた情報を基に被験者を遠隔管理するシステムが公知である（特許文献等）。
【０００４】
しかし、これまで、被介護者にとって快適な介護という視点に立った、介護支援のための遠隔管理システムいう事業発想はなく、このような新規事業発想を具現する手段も無かった。
【０００５】
即ち、個々の被介護者が快適と感じる寝床環境は、例えば、一般に快適温度とされている室内温度２２℃を、暑いと感じる者もいれば寒いと感じる者もいるように、個々の被介護者で相違するため、一般的基準を用いて画一的に外部から被介護者の寝床・室内環境を管理したのでは、被介護者にとって、快適な介護は得られないのであるが、従来、個々人が快適と感じる程度を客観的に把握する手段がなく、個々の被介護者に応じた介護の実現は困難であった。
【発明の開示】
【発明が解決しようとする課題】
【０００６】
本発明は、個々の被介護者の寝床から取得したデータを使用して、被介護者の寝床環境の良し悪しや被介護者の状態を客観的に外部から把握して、個々の被介護者に応じた快適な介護環境の提供を、被介護者に全く負担をかけずに支援するための寝床環境モニタリングシステムを提供することを課題とする。
【課題を解決するための手段】
【０００７】
本発明のモニタリングシステムは、温度検出手段、湿度検出手段、圧力検出手段、心拍検出手段、呼吸数検出手段および血圧検出手段から成る群（Ｉ）から選択される少なくとも１種の検出手段と、前記検出手段からデータを取得してこれを管理する管理部とから成り、被介護者の寝床環境を外部から客観的に把握するためのモニタリングシステムであって、前記群（Ｉ）の検出手段が被介護者の寝床に配設され、前記管理部が、前記群（Ｉ）の検出手段から取得したデータに基づいて評価用データを作成する評価用データ作成手段と、かかる評価用データを外部に提供するためのデータ提供手段とを備えていることを特徴とし、被介護者に負担を一切与えずに、個々の被介護者が快適と感じる環境を客観的に把握し、ひいては被介護者に応じた適切な介護をオーダーメイド感覚で提供することを可能としたものである。
【０００８】
ここで、本明細書中、「被介護者の寝床環境」とは、被介護者が過ごす寝床およびその付近一帯の状況、即ち被介護者を取り巻く状況を意味する。
本発明のモニタリングシステムは、管理部が１個の寝床を管理して、１人の被介護者の寝床環境を、当該寝床からの検出データに基づいて把握・評価できるものであってもよいし、管理部が複数の寝床を管理して、複数の被介護者の寝床からのデータに基づいて、各被介護者の寝床環境を把握・評価できるものであってもよい。
【０００９】
即ち、本発明のモニタリングシステムは、例えば、一人の被介護者の寝床から、温度や湿度等の環境情報を一定期間測定して、得られた評価用データを用いて、その変動や基準値からの差等に基づいて、被介護者の状態や、寝床環境の良し悪しを把握することができる。
本発明のモニタリングシステムは、また、例えば、複数の被介護者の寝床から得られた環境情報に基づく複数人の寝床に関する評価用データと、特定人の寝床からの評価用データを比較することで、全体における当該特定人の状態やその寝床環境の良し悪しを客観的に把握することができる。
このように、本発明のモニタリングシステムによれば、被介護者の寝床から取得したデータを多種多様に組み合わせて用いて、個々の被介護者の状態や寝床環境の良し悪しを多様な態様で把握でき、個々の被介護者に応じた適切な介護環境の提供に資する。
【００１０】
なお、本明細書中、「評価用データ」とは、被介護者の寝床環境の良し悪しや被介護者の状態の評価を可能とするあらゆるデータを意味し、被介護者の寝床環境の良し悪しや被介護者の状態を示すグラフやレーダーチャート等の図表として外部に明示され得るもののみならず、かかる図表に構成される前の基となるデータや、例えば寝床環境の良し悪しや被介護者の状態を警告信号として外部に提供する場合の、警告信号の基となるデータも含む。
【００１１】
前記検出手段は、前記群（Ｉ）から選択される１種のみを用いても、適切に被介護者の寝床環境の良し悪しや被介護者の状態を把握できるが、複数種を組み合わせて用いることで、多様でより正確な客観的判断が可能となる。
本発明では、また、前記群（Ｉ）の検出手段以外に、被介護者の寝床が設置されている室内情報を検出するための手段、即ち、室内温度検出手段、室内湿度検出手段、臭気検出手段、騒音検出手段、照度検出手段、気流検出手段および粉塵検出手段から成る群（ＩＩ）から選択される検出手段を前記群（Ｉ）の検出手段と共に用いてよく、これら検出手段からのデータの組合せを用いて、被介護者の寝床環境の良悪や被介護者の状態を多様な態様でより正確に客観的に判断することができる。
【００１２】
前記群（Ｉ）および群（ＩＩ）の各検出手段は、適宜公知の検出装置、例えばセンサ等であってよく、温度検出手段は、例えば温度計や温度センサであり、湿度検出手段は、例えば湿度計や湿度用センサである。圧力検出手段は、寝床の上面にかかる圧力を検出可能なあらゆる検出装置、例えば感圧センサやコンデンサ等であり、種々の板状、繊維状の感圧センサや、光ファイバー等の光の屈折率を利用したセンサ、導電塗料を利用した感圧センサ等も使用できる。また、心拍、呼吸数、血圧、臭気、騒音、照度、気流および粉塵を検出するための検出手段は、各ファクターを検出可能なあらゆる検出装置である。
【００１３】
前記寝床は、その上に被介護者が横たわって使用されるあらゆる敷物、例えば敷布団やマットレス等から成り、特に、天然ゴムを含むマットから成るものが適している。通常使用される綿やポリウレタン等から成る敷物やマットレスは、硬質の検出手段をその上に配設した場合、さらにその上に厚手のカバーを被せない限り、当該マットレス上に横たわった被介護者に衝撃を与え、被介護者の寝心地を損うのみならず、被介護者の皮膚等を侵襲して、壊疽等の原因となることがあり、而して、検出手段の感度が低下し、正確なデータを得ることができない不都合がある。この点、天然ゴムは多孔性でありかつ高い弾力性、反発性および柔軟性を有するため、これを含むマット等は、その上に硬質の物体を載せても、かかる物体の周囲の部分が物体を包み込み、上から被介護者が横たわっても、衝撃を与えず、床ずれ等を生じさせず、しかも、検出手段の精度を悪化させない上に、体圧分散能力が高く、被介護者にとって寝心地や感触が抜群で、蒸れが少なく、雑菌の繁殖抑制効果も併せ持ち、本発明のモニタリングシステムに非常に適している。かかるマットとしては、マット全体に対して天然ゴムが５０〜１００重量％の割合で含まれているものが好ましく、６０〜９５重量％の割合で含まれているものがより好ましく、７５〜９０重量％の割合で含まれているものがいっそう好ましく、また、０．１〜１０．０ｇ／ｃｍ３の比重を有するものが好ましく、０．３〜５．０ｇ／ｃｍ３の比重を有するものがより好ましく、０．５〜２．０ｇ／ｃｍ３の比重を有するものがいっそう好ましく、また、かかる天然ゴムを含むマットとしては、反発弾性率がＪＩＳ−Ｋ６４００−３に基づき２０〜９５％のものが好ましく、３０〜９０％のものがより好ましく、４０〜８５％のものがいっそう好ましい。かかる天然ゴムを含むマットは、その上面をシートで覆ってよく、かかるシートとしては、通気性のあるもの、例えばポリウレタンとポリカーボネートの共重合物から成るものが好ましい。
【００１４】
前記管理部は、例えばコンピュータシステム等の情報処理装置から成り、例えば、寝床から離れた空間、病院のナースステーション、介護施設における管理室、寝床が設置された室内等に設置され、また、例えばインターネットや顧客端末等の外部通信手段に接続したＡＳＰに設置されてもよい。前記管理部は、前記検出手段からの各種検出データを収集するデータ受信部や、前記評価用データ作成手段により作成されたデータを、インターネットや顧客端末等の外部通信手段に提供するための送信手段を備えてよい。
【００１５】
前記評価用データ作成手段は、前記検出手段により取得されたデータを基に、被介護者の寝床環境の良し悪しや被介護者の状態の評価を可能とするデータを作成可能なあらゆる情報処理手段であり、例えば、データベースやＣＰＵ等から成り、また、適宜、アプリケーションサービスプロバイダ（ＡＳＰ）に設置されてもよい。
【発明の効果】
【００１６】
本発明によれば、被介護者に負担を一切与えずに、個々の被介護者が快適と感じる環境を客観的に把握し、ひいては被介護者に応じた適切な介護をオーダーメイド感覚で提供することが可能となる。
【実施例】
【００１７】
以下、実施例を用いて本発明を説明するが、本発明はかかる実施例に限定されるものではない。
[実施例１]
図１に構成図を示す本実施例のモニタリングシステムは、被介護者の寝床１に、温度検出手段２として温度センサ（ＬＭ３５ＤＺ、ナショナルセミコンダクタ社）が、湿度検出手段３として湿度センサ（ＣＨＳ−ＧＳＳ、ＴＤＫ株式会社）が、圧力検出手段４として積層セラミックコンデンサ（定格５０Ｖ、０．１μＦ、＋８０／−２０％、村田製作所）が、心拍・呼吸数検出用圧力センサ５（自製）と共に設置され、かつ、室内温度検出手段６として温度センサ（ＬＭ３５ＤＺ、ナショナルセミコンダクタ社）および室内湿度検出手段７として湿度センサ（ＣＨＳ−ＧＳＳ、ＴＤＫ株式会社）が、寝床１が設置されている室内の壁面に設置されて成り、これら検出手段からのデータを収集・制御する管理部８と、管理部８からデータを取得して管理する管理用ＰＣ９とを含む。寝床１は、天然ゴムを主成分として含むマットレス（マットレスの重量に対して約８０重量％の天然ゴムを含むもの、製品名称−スーパーフレックス、株式会社シガドライウィザーズ製）から成り、比重が０．５〜１．５ｇ／ｃｍ３で、ＪＩＳ−Ｋ６４００−３に基づき４０〜８５％の反発弾性率を有する。各種検出手段（２〜５）は、マットレスの上に載置かれた、各検出手段を嵌込可能な刳り抜きを有する天然ゴム製のシート（厚さ１ｃｍ）の当該刳り抜きに、適宜嵌込まれる形で、マットレス上に配設されており、いずれも、管理部８に検出データを送信可能に構成されている。寝床１には、検出手段（２〜５）を設置した上から、ポリウレタンとポリカーボネートの共重合物から成るカバーフィルム（厚さ０．０４ｍｍ）が被覆されており、被介護者に与える衝撃が回避されており、かつ衛生が保たれている。
【００１８】
心拍・呼吸数検出用圧力センサ５は、天然ゴムから成る袋状のものであり、常時膨張状態で、その上に横たわった被介護者の心拍や呼吸に伴う袋内の気圧の変化をデータとして管理部８に送信できるものであり、例えば、マットレス上の、被介護者の肩甲骨に対応する部分に配置される。本実施例では、圧力検出手段４は、マットレスの上面の中央部と、当該中央部を挟む左右両側部分に配置される。温度センサ２と湿度センサ３は、対になって、中央部の圧力検出手段４と左右の圧力検出手段４との間に、図１に示すように列を為して設置される。寝床１に取り付けられるいずれの検出手段（２〜５）も、使用中は、寝具の中（掛布団の下）に包埋される。
【００１９】
管理部８は、情報処理装置（コンピュータ）であり、各種検出手段（２〜５）から垂れ流し状態でデータを取得し、これを適宜蓄積・集計して、蓄積・集計したデータを外部の管理用ＰＣ９や、管理部８に設けられた警告表示部１７に表示できるよう構成されている。
即ち、管理部８は、表１に示す構成要素から成る。各構成要素は、表１に示す機能を果たし得るように常法により構成され、情報処理装置にインストールされたプログラムから成る。管理部８における情報処理の流れの概要を図２Ａに示す。
【００２０】
【表１】
2009157479.tif 000003
【００２１】
「基準値」は、被介護者の状態や寝床環境の良し悪しを評価するための基準となるものであり、例えば、各被介護者の状態が落ち着いている時期や、被介護者が快適であると感じている時期に、本発明のモニタリングシステムにより当該被介護者の寝床や室内から前記検出手段で取得されたデータを基に作成された生データや平均値、偏差値等の他、統計等に基づいて一般的に規格数値化され、外部から前記基準値蓄積手段に入力されるものであってよい。
【００２２】
各種検出手段（２〜５）と受信部１０、受信部１０と各種データベースおよび各種手段（１０〜１６）、および各種手段と管理用ＰＣおよび警告表示部１７は、公知手段で連結され得、本実施例ではＴＣＰ／ＩＰで連絡されている。本実施例では、各種検出手段（２〜５）からの検出データは常時垂流し式に受信部１０に送信される。
【００２３】
検出値データベース１２は、例えば、図２Ｂに示すように、温度検出手段２からの検出データを蓄積するための寝床温度データベース（１２−１）、湿度検出手段３からの検出データを蓄積するための寝床湿度データベース（１２−２）、移動頻度データを蓄積するための移動頻度データベース（１２−３）、心拍・呼吸数検出手段からの検出データを蓄積するための心拍・呼吸数データベース（１２−４）、室内温度検出手段からの検出データを蓄積するための室内温度データベース（１２−５）、室内湿度検出手段からの検出データを蓄積するための室内湿度データベース（１２−６）とから成り、これらは少なくともいくつかが一箇所に纏まって設置されていても、また、互いに別個独立に設置されていてもよい。例えば、移動頻度データベース以外のデータベースは、各検出手段から受信部１０により受信された生のデータを直接蓄積することにより構築される。
【００２４】
移動頻度データベース（１２−３）は、管理部８としての情報処理装置にて予め設定された時期に、受信部１０から加工処理手段１１が、中央の圧力検出手段、左側および右側の圧力検出手段から検出データを取得し、左側、中央および右側の圧力検出手段からの検出値に変動がある場合に被介護者が移動したとして、所定のポイント数を移動頻度データベース（１２−３）に送信することにより、送信されたポイント数が被介護者の移動の頻度を示す指標として蓄積されて、構築される。
【００２５】
本実施例の基準値データベース１４は、例えば、基準値として、所定の期間における各種検出手段（２〜５）からの検出データの平均値を蓄積する場合、情報処理装置８において、予め設定され時期に、基準値作成手段１３が、受信部１０や検出値データベース１２、加工処理手段１１から所定のデータを取得して、その平均値を算出し、算出された平均値をデータとして基準値データベースに送信することで、当該平均値を蓄積し、予め設定された更新時期にデータを更新する。
【００２６】
第一の集計処理手段１５は、情報処理装置８において予め設定された時期に、検出値データベース１２や基準値データベース１４を参照して、寝床環境の評価用のデータを作成し、これを定期的に管理用ＰＣ９に送信する。即ち、本実施例では、第一の集計処理手段１５がデータ提供手段を兼ねる。これにより、例えば介護者等が被介護者の寝床環境を自発的に把握したい場合に管理用ＰＣ９を操作して、そのディスプレイ上で当該評価用データを、例えば、グラフやレーダーチャート等の図表として確認することができる。
【００２７】
第二の集計処理手段１６は、検出値データベース１２と基準値データベース１４を参照して、ある検出データの値が所定の基準値を超えた場合に、警告表示部１７に警告信号を発信するように構成されている。即ち、本実施例では、第二の集計処理手段１６はデータ提供手段を兼ねる。警告表示部１７は、第二の集計処理手段１６からの警告信号を受信して所定の警告を外部に表示するよう構成されており、これにより、必要な時期に、介護者等に緊急が知らされる。
【００２８】
例えば、管理用ＰＣ９のディスプレイ上に表示された寝床温度や寝床湿度を示すデータが極端に変化しない場合には、被介護者の状態は概ね落ち着いていると評価できる。
また、例えば、心拍を示すデータが正常値を示している場合に、寝床温度を示すデータにおいて低温が続く場合、冬場であれば、被介護者に布団がかかっていない虞があると評価できる。
また、例えば、心拍データが正常値を示している場合に、室内温度を示すデータにおいて高温が続く場合、夏場であれば、被介護者が放置されている可能性があると判断できる。
【００２９】
また、例えば、心拍を示すデータが正常値を示している場合に、呼吸数が取れない場合、無呼吸症の可能性があると判断できる。
また、例えば、心拍を示すデータが正常値を示している場合に、移動頻度を示すデータにおいて移動がない場合、被介護者が放置されている可能性がある。
また、例えば、寝床温度を示すデータと、寝床湿度を示すデータが共に１０分程度連続的に上昇している場合には、被介護者が入浴したと評価でき、これら両データの値が１５分以上連続的に上昇している場合には、被介護者が発熱している可能性があると評価できる。
さらに、例えば、圧力を示すデータで圧力が検出されている場合に、心拍や呼吸数を示すデータが取れない場合、被介護者が心拍停止に陥っている虞があると評価できる。
【００３０】
図３に、管理用ＰＣのディスプレイ上に表示された、被介護者の心拍および呼吸数を示す評価用データの例を示す。図３Ａの評価用データは、安定な状態にある被介護者がジャケットを着用したまま寝床１に、上を向いて寝ころんだ状態で測定されたものであり、図３Ｂは、同介護者が寝床１に、横向きで寝ころんだ状態で測定されたものである。この図から、本実施例のモニタリングシステムによれば、被介護者に全く負担をかけずに、極めて正確かつ精密に、被介護者の心拍および呼吸数の変動を取得でき、被介護者の向きや状態を評価できることが分かる。なお図中、チャンネル１は、横軸の小目盛が１秒毎の時間を示し、かつ、縦軸の小目盛が、１目盛あたり５０ｍＶの振幅を示すことを意味する。チャンネル２は、横軸の小目盛りが１秒毎の時間を示し、かつ、縦軸の小目盛が、１目盛あたり１．００Ｖの振幅を示すことを意味する。０Ｐａは、心拍・呼吸数検出用圧力センサ５に圧力がかかっていない時の値を示す。
例えば、室内温度を示すデータと図３に示す心拍・呼吸数評価用データとを組み合わせて、例えば、室内温度に関して高温（４０℃）が続いている場合、このような高温下で図３に示すような安定した心拍・呼吸数データが得られるのは不自然であるため、現時点で被介護者の状態は辛うじて正常域にあるが、早急に対処しなければ、被介護者の状態が急激に悪化する虞が極めて高いことが予測できる。
【００３１】
[実施例２]
図４に構成の一部を示す本実施例は、実施例１で使用した検出手段（２〜５）以外に、さらに照度検出手段、騒音検出手段および臭気検出手段を、寝床１が設置された室内に配設すると共に、管理部８としての情処理装置内での、図２Ａにて点線（Ｔ）で囲まれる一連の情報処理を、外部通信手段２４（インターネット）に接続したＡＳＰ２５によっても実行し得るように設定したことを除き、実施例１と同様の構成から成る。
即ち、本実施例では、実施例１において管理部８としての情報処理装置に設置された受信部等の各種手段（１１〜１６）と同様の手段が、ＡＳＰ２５にも設置されており、加工処理手段１１'、検出値データベース１２'、基準値作成手段１３'、基準値データベース１４'、第一・第二の集計処理手段（１５'、１６'）が、前記表１に示す機能を果たし得るように、常法に従いＡＳＰ２５にインストールされている。また、ＡＳＰ２５は、通信ネットワークを介して顧客端末１９と接続しており、顧客端末１９から入力されるユーザーＩＤパスワードを受信・認証する認証部２０と、評価用データを顧客端末１９に提供するデータ提供手段２１（ＷＷＷサーバ）を有する。ＡＰＳ２５には、外部から顧客情報データベース２２を入力してある。
【００３２】
以下に、顧客端末１９に被介護者の評価用データを提供する際のデータ提供手段２１の作動態様を説明する。
顧客端末１９から所定のユーザーＩＤパスワードが入力されると（図４Ｂのステップ（ア））、認証部２０が、顧客情報データベース２２を参照してＩＤパスワードの一致・不一致を判断する。認証部２０がパスワードの一致を判断した場合、認証部２０は顧客端末１９に、所望の評価用データを選択するための画面を提示する（ステップ（イ））。
【００３３】
顧客が、所望の評価用データの選択画面を選択し、入力指示すると、入力情報が集計処理手段１６'に送信される（ステップ（ウ））。集計処理手段１６'は、要求された評価用データに関するデータを検出値データベース１２'や基準値データベース１４'等から取得して、取得したデータに基づいて評価用データを作成する。次いで集計処理手段１６'はこの評価用データをデータ提供手段２１に送信し（ステップ（エ））、データ提供手段２１がこれを顧客端末１９に提供する（ステップ（オ））。結果、顧客端末１９の表示部に、顧客に対応する被介護者の寝床環境に関する情報が、例えばグラフやレーダーチャート等で表示される。
なお、顧客端末１９に固有のＩＰを付与して、顧客からの要求にリアルタイムで応答する処理や、サーバーからの遠隔操作を実現できる。
【００３４】
いずれの実施例のシステムも、常法により、例えば情報処理装置８と室内のエアコン、照明等の寝床・室内環境調整機構の間にインターフェース２３を取り付ける等して、例えば情報処理装置８を介して寝床・室内環境調整機構を遠隔操作し得るように構成できる。また、各種検出手段（２〜５）からの検出データの管理部８への送信時期や、管理部８における評価用データの作成時期、顧客端末１９への送信時期等は、常法により適宜制御できる。
【図面の簡単な説明】
【００３５】
【図１】図１は、本発明のモニタリングシステムの構成を示す図である。
【図２】図２は、実施例１の管理部の構成を示す図であり、Ａは、管理部の構成を管理部内での情報処理の流れと共に示す図であり、Ｂは、管理部内に設置される検出データ蓄積手段の構成を示す図である。
【図３】図３は、被介護者の心拍・呼吸数の変動を示す評価用データ（グラフ）を示し、Ａは、被介護者が上向きで寝床に横たわっている場合の心拍および呼吸数の変動を示すグラフであり、Ｂは、被介護者が横向きで寝床に横たわっている場合の心拍および呼吸数の変動を示すグラフである。
【図４】図４は、管理部内での情報処理をＡＳＰでも行うことができる本発明のモニタリングシステムの構成の一部を示す図であり、Ａは、管理部の構成を示し、Ｂは、管理部内の構成を情報処理の流れと共に示す。
【符号の説明】
【００３６】
１  寝床
２  温度検出手段
３  湿度検出手段
４  圧力検出手段
５  心拍・呼吸数検出用圧力センサ
６  室内温度検出手段
７  室内湿度検出手段
８  管理部
９  管理用ＰＣ
１０  受信部
１１  加工処理手段
１２  検出値データベース
１２−１〜６  各種データベース
１３  基準値作成手段
１４、１４'  基準値データベース
１５、１５'、１６、１６'  集計処理手段
１７  警告表示部
１９  顧客端末
２０  認証部
２１  データ提供手段
２２  顧客情報データベース
２３  インターフェース
２４  外部通信手段
２５  サービスセンターサーバー
【図１】
2009157479.tif 000004
【図２】
2009157479.tif 000005
【図３】
2009157479.tif 000006
【図４】
2009157479.tif 000007